(57)【要約】【課題】  照明器具のソケットの位置によらず、本来の配光に近づける小型の光源ユニット１を得る。【解決手段】  光源ユニット１は、ソケットに取り付けられ、給電される口金部２と、この口金部２に接続され、回転可能な回転子３と、この回転子３に接続され、口金部３と電気的に接続される支持部４と、この支持部４の一端側に回転可能に取り付けられるとともに、電気的に接続される発光部６と、を備え、発光部６は、平面部６１ａと、ソットの方向によらず、自身の自重によって平面部６１ａが下方を向くように回動可能に支持部４に取り付けられる回転支持部２３を有するので、照明器具のソケットの位置に対応して発光面を回転させることができ、本来の配光に近づけることができるとともに、外形形状を小型化することができる。【選択図】          図１
2014157839.tif 000002
【特許請求の範囲】
【請求項１】
ソケットに取り付けられ、給電される口金部と、
この口金部に接続され、回転可能な回転子と、
この回転子に接続され、前記口金部と電気的に接続される支持部と、
この支持部の一端側に回転可能に取り付けられるとともに、電気的に接続される発光部と、
を備え、
前記発光部は、平面部と、前記ソケットの方向によらず、自身の自重によって前記平面部が下方を向くように回動可能に前記支持部に取り付けられる回転支持部を有することを特徴とする光源ユニット。
【請求項２】
前記発光部は、前記平面部にＬＥＤが実装されていることを特徴とする請求項1に記載の光源ユニット。
【請求項３】
前記平面部は、前記ＬＥＤが実装される基板を有することを特徴とする請求項１または２のいずれか一項に記載の光源ユニット。
【請求項４】
請求項１乃至３のいずれか一項に記載の光源ユニットと、
前記光源ユニットが取り付けられるソケットと、
を備えることを特徴とする照明器具。
【発明の詳細な説明】
【技術分野】
【０００１】
本発明は、電球形の光源ユニットの技術に関するものである。
【背景技術】
【０００２】
灯体を自由自在に回転させて、発光ダイオードからの光の照射方向が所望に調整可能とする技術がある。（例えば、特許文献１参照。）
【先行技術文献】
【特許文献】
【０００３】
【特許文献１】特開２００８−２５１４４４号公報（段落「００４５」〜段落「００５２」、図１参照。）
【発明の概要】
【発明が解決しようとする課題】
【０００４】
しかしながら、ユーザーが照射方向を可変する必要があり、手間がかかっていた。
また、球体の表面に近い部分にＬＥＤが実装されるため、ＬＥＤが実装できる数が限られるため、複数のＬＥＤを実装して高出力の光出力を得ることが難しく、複数のＬＥＤを実装するにはＬＥＤ電球の形状が大きくなるという課題があった。
【０００５】
本発明は、照明器具のソケットの位置によらず、本来の配光に近づける小型の電球形の光源ユニットを得ることを目的とする。
【課題を解決するための手段】
【０００６】
本願における光源ユニットは、ソケットに取り付けられ、給電される口金部と、この口金部に接続され、回転可能な回転子と、この回転子に接続され、前記口金部と電気的に接続される支持部と、この支持部の一端側に回転可能に取り付けられるとともに、電気的に接続される発光部と、を備え、前記発光部は、平面部と、前記ソケットの方向によらず、自身の自重によって前記平面部が下方を向くように回動可能に前記支持部に取り付けられる回転支持部を有することを特徴とするものである。
【発明の効果】
【０００７】
本発明によれば、照明器具のソケットの位置に対応して発光面を回転させることができ、本来の配光に近づけることができるとともに、外形形状を小型化することができる。
【図面の簡単な説明】
【０００８】
【図１】実施の形態１の電球形の光源ユニットを示す斜視図である。
【図２】実施の形態１の電球形の光源ユニットを示す分解斜視図である。
【図３】実施の形態１の電球形の光源ユニットを示す側面図である。
【図４】実施の形態１の電球形の光源ユニットを示す側面図である。
【図５】実施の形態１の電球形の光源ユニットを示す側面図である。
【図６】実施の形態１の電球形の光源ユニットを示す側面図である。
【発明を実施するための形態】
【０００９】
実施の形態１．
図１は、本実施の形態を示す電球形の光源ユニットの斜視図であり、図２は、図１に示す電球形の光源ユニットの分解斜視図であり、図３は、図１に示す電球形の光源ユニットの側面図であり、図４は、図１に示す電球形の光源ユニットの下面図である。
【００１０】
電球形の光源ユニット１は、ソケットに取り付けられる口金部２と、この口金部２に回転可能に取り付けられる回転子３と、回転子３に取り付けられる支持部４と、ＬＥＤ５が実装される基板を有する発光部６と、支持部４に発光部６を回転可能に取り付けるとともに、支持部４と発光部６を電気的に接続するネジ７と、発光部６を覆うカバー８を備える。
【００１１】
口金部２は、ソケットにねじ込まれ、電気的に接触するネジ山部２１と、ネジ山部２１の一方側から突出し、ソケットに電気的に接触する凸部２２と、ネジ山部２１の他方側に回転子３を回転可能に取り付ける回転軸受け部２３を有する。
【００１２】
回転子３は、回転軸受け部２３に回転可能に係着する回転軸部３１を有する。
【００１３】
支持部４は、一方側がネジ山部２１に電気的に接触するとともに、他方側に軸穴４ａ１を有する第１の支持部４ａと、一方側が凸部２２に電気的に接触するとともに、他方側に軸穴４ｂ１を有する第２の支持部４ｂを有する。
【００１４】
発光部６は、円筒形状をなし、円形部６１ａまたは円形部６１ｂの中心線の両端側かつ側壁の中央部よりも一方側に備えられる軸受け穴６２を備え、軸受け穴６２よりも離れた円形部６１ａにＬＥＤ５が取り付けられる。
【００１５】
カバー８は、半円球状の透明な第１のカバー８ａと、口金部２が挿入される穴部８ｂ１を有し、半円球状の透明な第２のカバー８ｂを備える。
【００１６】
次に、この電球形の光源ユニット１の使用状態について説明する。
図５及び図６は、図１に示す電球形の光源ユニットの使用状態を示す図である。
【００１７】
図５は、斜め方向に配置されるソケットに、電球形の光源ユニットを取り付けた状態を示している。
【００１８】
このとき、軸受け穴６２が一方側に偏った位置にあるので、発光部６の自重によって、回転子３および発光部６は回転する。
【００１９】
したがって、ＬＥＤ５が取り付けられる円形部６１ａが下面方向に向く。
【００２０】
図６は、真上方向に配置されるソケットに、電球形の光源ユニットを取り付けた状態を示している。
【００２１】
このとき、軸受け穴６２が一方側に偏った位置にあるので、発光部６の自重によって、回転子３および発光部６は回転する。
【００２２】
したがって、ＬＥＤ５が取り付けられる円形部６１ａが下面方向に向く。
【００２３】
このように、電球形の光源ユニット１が取り付けるソケットの方向によらず、ＬＥＤ５が取り付けられる円形部６１ａが下面方向を向くように、回転子３および発光部６が回転するので、電球形の光源ユニット１が発光する光を本来の配光に近づけることができる。
【符号の説明】
【００２４】
１  光源ユニット、２  口金部、３  回転子、４  支持部、５  ＬＥＤ、６  発光部、７  ネジ、８  カバー、２１  ネジ山部、２２  凸部、２３  回転軸受け部、３１  回転軸部、４ａ、４ｂ  支持部、４ａ１、４ｂ１  軸穴、６１ａ、６１ｂ  円形部、６２  軸受け穴、８ａ  第１のカバー、８ｂ  第２のカバー、８ｂ１  穴部。
【図１】
2014157839.tif 000003
【図２】
2014157839.tif 000004
【図３】
2014157839.tif 000005
【図４】
2014157839.tif 000006
【図５】
2014157839.tif 000007
【図６】
2014157839.tif 000008